(57)【要約】【課題】浴室内を衛生的に維持でき、排水施工を必要としないサウナ装置を提供することを目的とする。【解決手段】加湿空間の空気を加湿空間外に送風する排気送風手段１２と、装置外部に空気を排出する空気排出路１４と、空気を加湿する加湿部１と、加湿部１へ空気を供給し加湿部１通過後の加湿空気を加湿空間外部へ吹き出す送風手段２と、加湿部へ温水を循環供給する加湿温水回路３と、加湿温水回路３内部の温水を循環させる温水循環手段５と、加湿温水回路内部５の温水を加熱する加熱部４を具備し、浴室内への加湿加熱空気の供給と屋外への換気を行い、貯水された温水を装置外部に排水する排水開閉手段１１と、排水開閉手段１１により排出された温水を空気排出路１４へ導く排水連通路１５を備え、送風機２により生じる空気流により排水開閉手段１１より排出されたは温水を空気排出路１４より装置外部へ排出する。【選択図】  図１
2005021429.tif 000002
【特許請求の範囲】
【請求項１】
加湿空間の空気を加湿空間外に送風する排気送風手段と、装置外部に空気を排出する空気排出路と、空気を加湿する加湿部と、前記加湿部へ空気を供給し前記加湿部通過後の加湿空気を加湿空間外部へ吹き出す送風手段と、前記加湿部へ温水を循環供給する加湿温水回路と、前記加湿温水回路内部の温水を循環させる温水循環手段と、前記加湿温水回路内部の温水を加熱する加熱部を具備し、加湿加熱空気の供給と換気を行うことを特徴とするサウナ装置。
【請求項２】
加湿温水回路内および貯水部内および加湿部および温水循環手段および加熱部に貯水された水または温水を装置外部に排水する排水開閉手段と、前記排水開閉手段により排出された水または温水を空気排出路へ導く排水手段を備え、排気送風手段により生じる空気流により前記排水開閉手段により排出された水または温水を前記空気排出路より装置外部へ排出することを特徴とする請求項１記載のサウナ装置。
【請求項３】
空気排出路内に水を排気口から水滴が落下しないように水滴落下防止手段を設けたことを特徴とする請求項２記載のサウナ装置。
【請求項４】
空気を加湿する加湿部と、前記加湿部へ空気を供給し前記加湿部通過後の加湿空気を外部へ吹き出す送風機と、前記加湿部へ温水を循環供給する加湿温水回路と、前記加湿温水回路内部の温水を循環させる温水循環手段と、外部の熱源から供給される熱と前記加湿温水回路内部の温水との間で熱交換を行い前記加湿温水回路内部の温水を加熱する熱交換器を具備し、前記加湿部が水蒸気透過性を有する透湿膜により構成され、前記加湿部において前記送風機により前記加湿部に供給された空気を前記透湿膜を挟んで前記透湿膜の一方側に流通させるとともに、前記加湿温水回路より前記加湿部に供給された温水を前記透湿膜の反対側に流通させることで、前記送風機により供給された空気に前記加湿温水回路より供給された温水から前記透湿膜を介して水蒸気を供給することを特徴とする請求項２記載のサウナ装置。
【請求項５】
空気排出路内に水を排気口から水滴が落下しないように水滴落下防止手段を設けたことを特徴とする請求項４記載のサウナ装置。
【請求項６】
加湿空間から加湿空気を吸込む吸込口と、送風機の吸込側と前記吸込口を連結する送風機吸込み風路に、前記吸込口から吸引した加湿空気の相対湿度を低減する相対湿度低減手段を備えたことを特徴とするサウナ装置。
【請求項７】
加湿空間から加湿空気を吸込む吸込口と、送風機の吸込側と前記吸込口を連結する送風機吸込み風路に、前記加湿空間以外の空間からの空気を導入する外気吸込風路を連結し、前記加湿空間からの吸込加湿空気と加湿空間以外からの吸込み空気を混合し、前記送風機に吸込むことを特徴とする請求項６記載のサウナ装置。
【請求項８】
外気吸込風路に加湿空間からの吸込加湿空気と外気吸込空気の比率を変化させることができる比率可変手段を設けたことを特徴とする請求項７記載のサウナ装置。
【請求項９】
加湿空間に温度と湿度を検知する温度湿度検出部を備え、前記温度湿度検出部の検出値により比率可変手段を可変する比率可変指示制御回路を備えたことを特徴とする請求項８記載のサウナ装置。
【請求項１０】
加湿空間から加湿空気を吸込む吸込口と、送風機の吸込側と前記吸込口を連結する送風機吸込み風路に、前記吸込口から吸引した加湿空気の含有水分量を低減する除湿手段を有したことを特徴とする請求６記載のサウナ装置。
【請求項１１】
加湿空間から加湿空気を吸込む吸込口と、送風機の吸込側と前記吸込口を連結する送風機吸込み風路に、前記吸込口から吸引した加湿空気を加熱する発熱手段を有したことを特徴とする請求６記載のサウナ装置。
【請求項１２】
送風機は駆動時に発熱する駆動用モーターと送風用ファンを備え、前記送風機が空気を吸引する送風機吸込口と空気を吹出す送風機吹出口を備えた送風機箱に覆われた構造とすることを特徴とした請求項６記載のサウナ装置。
【請求項１３】
空気を加湿する加湿部と、前記加湿部へ空気を供給し前記加湿部通過後の加湿空気を外部へ吹き出す送風機と、前記加湿部へ温水を循環供給する加湿温水回路と、前記加湿温水回路内部の温水を循環させる温水循環手段と、外部の熱源から供給される熱と前記加湿温水回路内部の温水との間で熱交換を行い前記加湿温水回路内部の温水を加熱する熱交換器を具備し、前記加湿部が水蒸気透過性を有する透湿膜により構成され、前記加湿部において、前記送風機により前記加湿部に供給された空気を前記透湿膜を挟んで前記透湿膜の一方側に流通させるとともに、前記加湿温水回路より前記加湿部に供給された温水を前記透湿膜の反対側に流通させることで、前記送風機により供給された空気に前記加湿温水回路より供給された温水から前記透湿膜を介して水蒸気を供給することを特徴とする請求項６サウナ装置。
【請求項１４】
加湿空間から加湿空気を吸込む吸込口と、送風機の吸込側と前記吸込口を連結する送風機吸込み風路に、前記加湿空間以外の空間からの空気を導入する外気吸込風路を連結し、前記加湿空間からの吸込加湿空気と加湿空間以外からの吸込み空気を混合し、前記送風機に吸込むことを特徴とする請求項１３記載のサウナ装置。
【請求項１５】
外気吸込風路に加湿空間からの吸込加湿空気と外気吸込空気の比率を変化させることができる比率可変手段を設けたことを特徴とする請求項１４記載のサウナ装置。
【請求項１６】
加湿空間に温度と湿度を検知する温度湿度検出部を備え、前記温度湿度検出部の検出値により比率可変手段を可変する比率可変指示制御回路を備えたことを特徴とする請求項１５記載のサウナ装置。
【請求項１７】
加湿空間から加湿空気を吸込む吸込口と、送風機の吸込側と前記吸込口を連結する送風機吸込み風路に、前記吸込口から吸引した加湿空気の含有水分量を低減する除湿手段を有したことを特徴とする請求１３記載のサウナ装置。
【請求項１８】
加湿空間から加湿空気を吸込む吸込口と、送風機の吸込側と前記吸込口を連結する送風機吸込み風路に、前記吸込口から吸引した加湿空気を加熱する発熱手段を有したことを特徴とする請求１３記載のサウナ装置。
【請求項１９】
送風機は駆動時に発熱する駆動用モーターと送風用ファンを備え、前記送風機が空気を吸引する送風機吸込口と空気を吹出す送風機吹出口を備えた送風機箱に覆われた構造とすることを特徴とした請求項１３記載のサウナ装置。
【発明の詳細な説明】
【０００１】
【発明の属する技術分野】
本発明は、浴室やシャワー室等に設置するサウナ装置に関するものである。
【０００２】
【従来の技術】
サウナには、室内の温度を１００℃程度、相対湿度を１０％程度の高温低湿環境にするドライ式サウナや、室内の温度を４０〜５０℃程度、相対湿度を７０％以上程度の中高温高湿環境にするスチーム式サウナがある。近年、浴室やシャワー室等に設置し、浴室やシャワー室そのものをサウナルームとして使用可能とするサウナ装置が注目されており、スチーム式のものが種々提案されている。
【０００３】
図１０は、従来のこのようなサウナ装置の内部構造の概略を示す要部断面図である。図１０に示すように、外装体１０１の内部において、複数の湯噴出口１０４を有する噴出湯管１０５が上部に配置され、噴出湯管１０５の下部に複数の薄板１０７とパイプ状の連結部材１０６で構成される熱交換促進部材１０８が配置され、更にその下部にファンユニット１０９が配置されている。湯噴出口１０４から熱交換促進部材１０８上に噴出された温水の一部が蒸発して発生する水蒸気を、ファンユニット１０９によって空気吸入口から吸引された空気に供給し、スチーム吹出し口１０３から浴室内に噴出するようになっている。熱交換後の温水はドレンパン１１０に集められ、外部へ排水される（例えば、特許文献１参照）。
【０００４】
【特許文献１】
特開平６−６３１０３号公報（第５頁、第３図）
【０００５】
【発明が解決しようとする課題】
上記のような従来の技術によるサウナ装置においては、外部に排気する手段が設けられておらず、入浴後加湿空間となった浴室内を乾燥させるためには別に換気手段が必要であった。
【０００６】
また、湯噴出口１０４から噴射された温水を熱交換促進部材１０８に噴射しミストを生成しているため熱交換促進部材１０８の面積が必要となり、外装体１０１は縦長構造となり、浴室の天井裏スペースに収納できないため本体は浴室内への設置となる。また仮に天井裏スペース収納のため装置を横置きにした場合噴射された温水が熱交換促進部材１０８からドレンパン１１０に導かれる途中に熱交換促進部材１０８より落下し、つまり天井から落下することとなるため横置きにした場合でも天井裏への取り付けは困難である。このため装置本体が浴室内に配置されるため浴室が狭くなるという課題があった。
【０００７】
また、熱交換器促進部材１０８を介してドレンパン１１０に大量に温水が流れ外部へ排水するため排水管が必要となり、そのための施工が必要であった。
【０００８】
また、熱交換促進部材１０８上に噴出した温水の一部は水蒸気として空気に供給されるが、残りの温水はドレンパン１１０より外部へ排水される。このために温水の保有するエネルギーを有効に使うことが出来ず、効率的に加湿が行えていないという課題があった。また、温水の使用量、温水を所定の温度まで昇温するための加熱量が多くなり、ランニングコストが高くなるという課題があった。
【０００９】
また、湯噴出口１０４から噴出された温水の一部が微細水滴としてスチーム吹出し口１０３から浴室内に吹き出される可能性が構造上避けられず、これが入浴者の体に触れて体感上好ましくないという課題があった。
【００１０】
また、上記のような従来の技術によるサウナ装置においては、湯噴出口１０４から熱交換促進部材１０８上に温水を噴出する構成ため、装置停止時には熱交換促進部材１０８上、および噴出湯管１０４に多量の水滴が付着している。このように多量の水滴が付着した状態では、カビや菌が繁殖しやすく衛生上好ましくないという課題があった。
【００１１】
また吸込口１０２から吸込まれる空気は非常に高湿度の空気のため風路に設置されるファンユニット１０９は耐湿対応のものを用いなければならないという課題があった。
【００１２】
本発明はこのようなサウナ装置の課題を考慮してなされたものであり、浴室外のスペースの天井裏に設置でき、使用後の浴室内を乾燥することにより浴室内のかび等の繁殖を抑制し、排水管の施工を簡略化し、効率的に加湿が行え、ランニングコストが低く、体感上も快適であり、装置を衛生的に維持でき、加湿空気の吸込み風路の部品を常温常湿対応の部品でも使用できるサウナ装置を提供することを目的とする。
【００１３】
【課題を解決するための手段】
上記の目的を達成するため、本発明のサウナ装置は、加湿空間の空気を加湿空間外に送風する排気送風手段と、装置外部に空気を排出する空気排出路と、空気を加湿する加湿部と、加湿部へ空気を供給し加湿部通過後の加湿空気を加湿空間浴室へ吹き出す送風手段と、加湿部へ温水を循環供給する加湿温水回路と、加湿温水回路内部の温水を循環させる温水循環手段と、加湿温水回路内部の温水を加熱する加熱部を具備したものであり、加湿加熱空気の供給と換気を行うことができるサウナ装置が得られる。
【００１４】
また本発明によれば、排水開閉手段と排気送風手段を備え、排水開閉手段により排出された水または温水を空気排出路へ導く排水手段を備え、排気送風手段により生じる空気流により排水開閉手段により排出された水または温水を空気排出路に設けた水滴落下防止手段により水を排気口から水滴が落下しないよう霧化して空気排出路より装置外部へ排出するため、排気口から水滴が落下し、排気口の壁および排気口の吹出直下をぬらすことのないサウナ装置を提供できる。
【００１５】
また、本発明のサウナ装置によれば、空気を加湿する加湿部と、加湿部へ空気を供給し加湿部通過後の加湿空気を外部へ吹き出す送風機と、加湿部へ温水を循環供給する加湿温水回路と、加湿温水回路内部の温水を循環させる温水循環手段と、外部の熱源から供給される熱と加湿温水回路内部の温水との間で熱交換を行い加湿温水回路内部の温水を加熱する熱交換器をと水または温水を貯水する貯水部を具備し、加湿部が水蒸気透過性を有する透湿膜より構成され、加湿部において、送風機により加湿部に供給された空気を透湿膜を挟んで透湿膜の一方側に流通させるとともに、加湿温水回路より加湿部に供給された温水を透湿膜の反対側に流通させることで、送風機により供給された空気に加湿温水回路より供給された温水から透湿膜を介して水蒸気を供給することと温水を循環利用することを特徴とするものである。
【００１６】
また本発明によれば、加湿空間から加湿空気を吸込む吸込口と、送風機の吸込側と吸込口を連結する送風機吸込み風路に、吸込口から吸引した加湿空気の相対湿度を低減する相対湿度低減手段を備えたことにより、送風機に送りこまれる循環加湿空気によって引き起こされる送風機への結露を低減することができ、送風機羽根の錆の低減およびモーター巻線の障害を抑制することができるサウナ装置を提供できる。
【００１７】
また本発明によれば、加湿空間から加湿空気を吸込む吸込口と、送風機の吸込側と吸込口を連結する送風機吸込み風路に、加湿空間以外の空間からの空気を導入する外気吸込風路を連結し、加湿空間からの吸込加湿空気と加湿空間以外からの吸込み空気を混合し送風機に吸込むこと構成のため、送風機に送りこまれる循環加湿空気によって引き起こされる送風機への結露を低減することができ、送風機羽根の錆の低減およびモーター巻線の障害を抑制することができるサウナ装置を提供できる。
【００１８】
また本発明によれば、外気吸込風路に加湿空間からの吸込加湿空気と外気吸込空気の比率を変化させることができる比率可変手段を設けたことにより、外気の吸込風路の取付場所によって外気吸込空気と吸込加湿空気の比率を変えることができ、送風機に送りこまれる循環加湿空気によって引き起こされる送風機への結露を低減することにより、送風機羽根の錆の低減およびモーター巻線の障害を抑制することができる外気吸込風路の設置場所によらない安定した結露低減を実現するサウナ装置を提供できる。
【００１９】
また本発明のサウナ装置によれば、加湿空間に温度と湿度を検知する温度湿度検出部を備え、温度湿度検出部の検出値により比率可変手段を可変する比率可変指示制御回路を備えたことにより、送風機に送りこまれる循環加湿空気によって引き起こされる送風機への結露を低減することにより送風機羽根の錆の低減およびモーター巻線の障害を抑制することができ、温度湿度検出部の検出値により極めこまやかに比率可変手段を制御することができ、さらに装置起動時等吸込まれる循環加湿空気の絶対湿度が低いときは外気吸込み空気を取り入れないことにより急速な立上りを実現できる。
【００２０】
さらに本発明によれば、加湿空間から加湿空気を吸込む吸込口と、送風機の吸込側と吸込口を連結する送風機吸込み風路に、吸込口から吸引した加湿空気の含有水分量を低減する除湿手段または吸込口から吸引した加湿空気を加熱する発熱手段を有することにより送風機に送りこまれる循環加湿空気によって引き起こされる送風機への結露を低減することができ、送風機羽根の錆の低減およびモーター巻線の障害を抑制することができるサウナ装置を提供できる。
【００２１】
また本発明のサウナ装置によれば、送風機は駆動時に発熱する駆動用モーターと送風用ファンを備え、送風機が空気を吸引する送風機吸込口と空気を吹出す送風機吹出口を備えた送風機箱に覆われた構造とすることにより吸込口から吸引した加湿空気の相対湿度を低減する安価な相対湿度低減手段を提供できる。
【００２２】
【発明の実施の形態】
本発明の請求項１記載の発明は、加湿空間の空気を加湿空間外に送風する排気送風手段と、装置外部に空気を排出する空気排出路と、空気を加湿する加湿部と、加湿部へ空気を供給し加湿部通過後の加湿空気を加湿空間外部へ吹き出す送風手段と、加湿部へ温水を循環供給する加湿温水回路と、加湿温水回路内部の温水を循環させる温水循環手段と、加湿温水回路内部の温水を加熱する加熱部を具備したものであり、加湿加熱空気の供給つまりはサウナ入浴時の後に換気運転を行うことができ、浴室内を乾燥させるという作用を有する。
【００２３】
また、加湿温水回路内または貯水部内および加湿部および温水循環手段および加熱部に貯水された水または温水を装置外部に排水する排水開閉手段と、排水開閉手段により排出された水または温水を空気排出路へ導く排水手段を備えることにより、排気送風手段により生じる空気流により排水開閉手段により排出された水または温水を空気排出路より装置外部へ排出することにより、排水管が必要なくなるという作用が得られる。
【００２４】
また、空気排出路内に排気口から水滴が落下しないように水滴落下防止手段を設けたものであり、空気排出路および排気口から水滴等が飛散することがないという作用を有する。
【００２５】
また、加湿部通過後の加湿空気を外部へ吹き出す送風機と、加湿部へ温水を循環供給する加湿温水回路と、加湿温水回路内部の温水を循環させる温水循環手段と、外部の熱源から供給される熱と加湿温水回路内部の温水との間で熱交換を行い加湿温水回路内部の温水を加熱する熱交換器と水または温水を貯水する貯水部を具備し、加湿部が水蒸気透過性を有する透湿膜により構成され、加湿部において、送風機により加湿部に供給された空気を透湿膜を挟んで透湿膜の一方側に流通させるとともに、加湿温水回路より加湿部に供給された温水を透湿膜の反対側に流通させることで、送風機により供給された空気に加湿温水回路より供給された温水から透湿膜を介して水蒸気を供給するものであり、水蒸気のみを空気に供給するという作用と温水を循環利用するという作用を有する。
【００２６】
また、加湿空間から加湿空気を吸込む吸込口と、送風機の吸込側と吸込口を連結する送風機吸込み風路に、吸込口から吸引した加湿空気の相対湿度を低減する相対湿度低減手段を備えたことにより、送風機に送りこまれる循環加湿空気によって引き起こされる送風機への結露を低減することができ、送風機羽根の錆の低減およびモーター巻線の障害を抑制するという作用を有する。
【００２７】
また、加湿空間から加湿空気を吸込む吸込口と、送風機の吸込側と吸込口を連結する送風機吸込み風路に、加湿空間以外の空間からの空気を導入する外気吸込風路を連結したものであり、加湿空間からの吸込加湿空気と加湿空間以外からの吸込み空気を混合し、送風機に吸込むことにより吸込空気の相対湿度が低下し送風機に送りこまれる循環加湿空気によって引き起こされる送風機への結露を低減することができ、送風機羽根の錆の低減およびモーター巻線の障害を抑制するという作用を有する。
【００２８】
また外気吸込風路に加湿空間からの吸込加湿空気と外気吸込空気の比率を変化させることができる比率可変手段を設けたことにより、外気吸込風路の設置場所によって外気吸込空気と吸込加湿空気の比率を変化させることができるので、設置場所によらずまた天候によって変化させることも可能であるため安定した吸込相対湿度を提供できるという作用を有する。
【００２９】
また加湿空間に温度と湿度を検知する温度湿度検出部を備え、温度湿度検出部の検出値により比率可変手段を可変する比率可変指示制御回路を備えたことにより、極めこまやかに比率可変手段を制御することができ、さらに運転起動時の急速な立上りを実現するという作用を有する。
【００３０】
また、加湿空間から加湿空気を吸込む吸込口と、送風機の吸込側と吸込口を連結する送風機吸込み風路に、吸込口から吸引した加湿空気の含有水分量を低減する除湿手段または吸込口から吸引した加湿空気を加熱する発熱手段を有したものであり、相対湿度を下げた空気を送風機に送り込むことにより、送風機への結露を低減することができ、送風機羽根の錆の低減およびモーター巻線の障害を抑制するという作用を有する。
また、送風機は駆動時に発熱する駆動用モーターと送風用ファンを備え、送風機が空気を吸引する送風機吸込口と空気を吹出す送風機吹出口を備えた送風機箱に覆われた構造としたものであり、送風機が空気を吸引する送風機吸込口と空気を吹出す送風機吹出口を備えた送風機箱に覆われた構造とすることにより吸込口から吸引した加湿空気の相対湿度を安価に低減するという作用を有する。
【００３１】
以下、本発明の実施例について図面を参照しながら説明する。
【００３２】
【実施例】
（実施例１）
図１に示すように、空気を加熱加湿する加湿部１には、温水を循環供給する加湿温水回路３が接続されるとともに、送風機２によって加熱加湿空間である浴室やシャワー室等の空気が供給されている。加湿温水回路３は、貯水部６と、温水循環手段としてのポンプ５と、過熱部として熱交換器４と加湿部１に連結され、貯水部６に蓄えられた水または温水が温水循環手段５により、熱交換器４を介して加湿部１を通過し再び貯水部６に戻る回路により構成されている。貯水部６には、給水手段として給水管２１が水道管に接続されるとともに、貯水部６内の水位を検出する一定量貯水手段として水位センサー７が設けられている。一定量検知手段７の一定量とは、あまり容量を多くすると水量および熱量が無駄となり、一方少なすぎると給水される頻度が高くなり供給水が冷水の場合そのたびに貯水部６内水温が低下し、サウナ装置の性能が一時低下することとなるため、加湿量が４Ｌ／時間とした場合３〜４Ｌ程度がよい。なお実施例の給水手段はヘッド圧を有する水道管としたがヘッド圧を有する給湯器８としてもよく、またヘッド圧がない水または温水を給水する場合はポンプを備えたものとしてもよい。
【００３３】
給水管２１には給水閉止弁９が設けられている。給水手段としての給水管２１から供給される水は給水閉止弁の９が開いていているときに貯水部６に給水されることとなる。給水される水は貯水部６および加湿温水回路３に貯水され、ある一定貯水量になると一定量貯水手段である水位センサー７が検知し、給水閉止弁９を閉にするように信号を送ることにより給水閉止弁９が閉となり貯水部６への給水は停止する。貯水部６における貯水量が低下すると水位センサー７が検知し給水閉止弁９を開にするように信号を送ることにより給水閉止弁９が開となり再び給水が開始される。なお水位センサー７と給水閉止弁９が一体となり構成されているボールタップを用いても同様の効果が得られる。
【００３４】
熱交換器４には、外部の熱源としての給湯器８の暖房循環配管系である１次温水回路１０が接続されている。１次温水回路１０には、熱源である給湯器８で加熱された温水が循環している。熱源である給湯器８から供給された温水は熱交換器４に８０℃程度の一定温度と２Ｌ／分程度の流量の温水を供給する。熱交換器４を通過した温水は１次温水回路１０により給湯器８に戻され再び熱を帯び熱交換器４に循環供給する。
【００３５】
貯水部６の下部には貯水した水を排水する排水開閉手段１１が設けられている。排水開閉手段１１は排水管と排水開閉弁から構成され、排水管は貯水部６に貯水された水または温水を排水するのに十分な勾配を持ち、排水開閉弁が開くと貯水部６に貯水された水または温水が排水される。排水開閉手段１１は制御回路５０と電気的に接続され、制御回路５０が排水開閉手段１１に排水弁の開閉の信号を送信する。排水開閉弁１１は通常装置の停止状態は開いており、つまり排水モードで待機する。サウナ運転開始つまり温水循環手段および送風機の動作開始時に制御回路５０より信号が送られ排水弁は閉じた状態となり排水開閉手段１１は給水モードとなる。一方、サウナ運転停止つまり温水循環手段および送風機の動作停止後に制御回路５０より信号が送られ自動的に排水弁は開いた状態となり排水開閉手段１１は排水モードとなる。
【００３６】
一方、浴室１７からは吸込口１８を通じて排気送風手段１２に吸込空気が導かれる。排気送風手段１２は送風機２であり、送風機２から吹き出す空気は加湿部１に向かう風路と浴室１７外に排気する排気口１９に向かう空気排出路１４の２方向に切換手段１３により風路を切り換えることにより選択される。切換手段１３は内部にダンパーを備えたものであり、ダンパーを上下または左右に切り換えることにより風路を切り換えるものである。通常サウナ浴を行うときは浴室１７内の空気を送風機２により吸込口１８から吸込み、切換手段１３を通じて加湿部１に向かう風路に切り換え、加湿部１を通じて吹出口２０より浴室１７内に吹出す風路構成となり、一方サウナ浴後等浴室１７内を換気・乾燥したいときには浴室１７内の空気は吸込口１８を通じ送風機２から切換手段１３により空気排出路１４を通して排気口１９より浴室１７外に排気する風路構成となる。なお、本実施例では排気送風機１２と送風機２を同一のものとして記載したが各々独立して存在してもよく、その作用効果に差異は生じない。
【００３７】
貯水部６は排水開閉手段１１を備え、排水開閉手段１１は排水手段である排水連結路１５により空気排出路１４に連通されている。つまり貯水部６に貯水した水または温水は排水開閉手段１１を通じて排水連結路１５内を落下し、空気排出路１４に導かれる。一方、排気送風手段１２により吸込まれた浴室１７内空気は切換手段１３により空気排出路１４に導かれ、連通した排水連結路１５から導入される水または温水を排気口１９に導き、排気および排水をおこなう。このとき空気排出路１４は破水性のものであることが望ましく、水滴および湿分を排気口１９に導きやすくなる。
【００３８】
空気排出路１４の排水連結路１５と連通する箇所と排気口１９の間には水を蒸発または霧化する水滴落下防止手段１６が備えられている。水滴落下防止手段１６は排水連結路１５から侵入する水または水滴を気流から落下しない大きさの水滴の径、のぞましくは１０μｍ以下の径の水滴に変換するもので、変換された水滴または湿分が排気口１９から水滴を飛散させないあるいは落下させない状態で排気することができ、このため排気口の壁および排気口の下を濡らすことはない。水滴が排気口から吹出し、あるいは飛散・撒き散らし、または水滴が排気口からぽたぽたと落下することによる排気口周辺の汚れあるいは不快感等を防止することができる。また、排水管等の施工をする必要がないという優れた効果を有するものとなる。
【００３９】
（実施例２）
つぎに発明の第２実施例について図２を参照しながら説明する。なお、実施例１と同一部分については、同一符号を付して詳細な説明は省略する。
【００４０】
図２に示すように排水連通路１５から水または温水が空気排出路１４に混入し、排水連通路１５と空気排出路１４の連通する箇所直下に、落下する水または温水が直接排気送風手段１２による空気流２４に衝突しないように空気排出路１４の底面に導くガイド２５が設けられ、空気排出路１４の底面には水滴落下防止手段１６として超音波発振子２２を備えた凹部２３が備えられている。排水連通路１５から落下する水または温水はガイド２５に導かれ空気排出路１４の底面に誘導される。誘導された水または温水が空気流２４または空気排出路１４の勾配により、排水連通路１５から排気口１９の間の空気排出路１４底部に設けられた超音波発振子２２を収納するのに十分な大きさを有するくぼみ形状の凹部２３に導かれる。導かれた水または温水は凹部２３内部底面に備えた超音波発振子２２により霧化され上昇し、空気流２４に乗り、排気口１９から排気される。このとき超音波発振子２２により霧化された水滴あるいは湿分は空気流２４に乗り水滴として落下することなく排気口１９より外部に排気されしばらく空気流２４に乗るため排気口１９から水滴落下等のないものとなる。また、排水管等の施工をする必要がないという優れた効果を有するものとなる。
【００４１】
なお本実施例では超音波発振子を用いたが、ヒーターによる加湿でもよい。
【００４２】
（実施例３）
つぎに発明の第３実施例について図３を参照しながら説明する。なお、実施例１、２と同一部分については、同一符号を付して詳細な説明は省略する。
【００４３】
図３に示すように排水連通路１５から水または温水が空気排出路１４に混入し、排水連通路１５と空気排出路１４の連通する箇所直下に、落下する水または温水が直接排気送風手段１２による空気流２４に衝突しないように空気排出路１４の天井面にＬ字型の水受けガイド２７が設けられ、水受けガイド２７の開放端には水滴落下防止手段１６として加湿フィルター２６が取りつけられている。排水連通路１５から落下する水または温水は水受けガイド２７に導かれ加湿フィルター２６に誘導され、誘導された水または温水は加湿フィルター２６の表面を辿り下降する。一方、排気送風手段１２により生成された空気流２４は加湿フィルター２６にぶつかり水または温水を水滴化して排気口１９に向かう。このとき加湿フィルター２６に空気流２４が衝突することにより霧化された水滴あるいは湿分は空気流２４に乗り水滴として落下することなく排気口１９より外部に排気され空気流２４に乗るため排気口１９から水滴落下等のないものとなる。また、排水管等の施工をする必要がないという優れた効果を有するものとなる。
【００４４】
（実施例４）
つぎに発明の第４実施例について図４を参照しながら説明する。なお、実施例１、２、３と同一部分については、同一符号を付して詳細な説明は省略する。
【００４５】
図４に示すように排水連通路１５から水または温水が空気排出路１４に混入し、排水連通路１５と空気排出路１４の連通する箇所直下に、落下する水または温水が直接排気送風手段１２による空気流２４に衝突しないように水滴落下防止手段１６として空気排出路１４の天井面から底部まで誘導しさらに排気口１９まで導くＬ字型管として排気管内排水路２８を備え、一方、排気口１９にはグリル３２が備えられ、前記グリル３２の底部にはドレン手段用穴３０が設けられるとともに排気口１９の空気流２４の吹出す開口として開口部３１が設けられており、前記ドレン手段用穴３０にはドレン手段２９として排水ホースが取り付けられている。このため排水連通路１５から落下する水または温水は空気流２４に触れることなく排気管内排水路２８を通じ排気口１９に導かれる。そして誘導された水または温水は排気口１９からグリル３２の開口部３１の下端部より下のグリル３２底部に溜まり、グリル３２底部に設けられたドレン手段用穴３０を通じドレン手段２９に外部に水を撒き散らさない位置まで導かれることとなり、排気口１９から水滴落下等のないものとなる。
【００４６】
（実施例５）
つぎに発明の第５実施例について図１と５を参照しながら説明する。なお、実施例１と同一部分については、同一符号を付して詳細な説明は省略する。
【００４７】
図５は、本発明のサウナ装置における加湿部１の構成を模式化した説明図である。図５に示すように、加湿部１は水蒸気透過性を有する透湿膜１８を挟んで、膜の一方側に温水を流通させる温水経路１９、反対側に空気を流通させる空気流路２０が形成された構成となっている。
【００４８】
以上のような構成を有する、本実施の形態のサウナ装置の基本的な動作は次のようなものである。
【００４９】
加湿部１に加湿温水回路３内部の温水がポンプ５によって循環され、熱交換器４において１次温水回路１０内部の温水との間で熱交換されて所定の温度まで加熱される。この時の温度は、１次温水回路１０内の温水温度が８０℃程度の時に７０℃程度である。こうして加熱された加湿温水回路３内部の温水は加湿部１に供給され、温水経路３３を通過する。この時、水蒸気透過性を有する透湿膜を水蒸気だけが透過して透湿膜を挟んだ反対側、すなわち空気経路３４側に拡散する。残りの温水は、加湿部１を通過しそのまま加湿温水回路３を循環する。一方、吸込み空気は、送風機２によって加湿部１に供給され、空気経路３３を通過する。この時、温水経路３３側から透過してきた水蒸気によって空気は加湿されるとともに、温水との熱交換によって加熱される。そして、この加熱加湿された空気が加熱加湿空間とする浴室やシャワー室に吹き出される。こうして浴室やシャワー室内の空気は加熱加湿され、サウナ浴に適した室内の温湿度条件、すなわち温度が４０〜５０℃程度、相対湿度が７０％以上程度に保持される。
【００５０】
本実施例のサウナ装置では、加湿部１において加湿温水回路３を循環する温水から水蒸気のみが透湿膜３５を介して空気に供給され、残りの温水は再び加湿温水回路３を循環し、熱交換器４で加熱後再び加湿器１に供給される。このため、残りの温水が保有するエネルギーを有効に再利用でき、効率的な加湿が可能である。その結果、温水の使用量や温水を所定の温度まで昇温するための加熱量が少なくなり、ランニングコストを抑えることが可能となる。
【００５１】
また空気中に温水を噴出するのではなく、透湿膜３５を透過した水蒸気のみを空気に供給する構成である。この為、微細水滴が浴室内に吹き出されて入浴者の体に触れることはなく、体感上も快適なものとなる。
【００５２】
（実施例６）
つぎに発明の第６実施例について図６を参照しながら説明する。なお、実施例１と同一部分については、同一符号を付して詳細な説明は省略する。
【００５３】
加湿部１により生成される加湿空気は送風機２が駆動することにより浴室１７に吹き出され、浴室１７は加湿空間となる。一方、浴室１７内から浴室１７に取り付けられた吸込口４１を通り、吸込口４１と送風機２を結ぶ送風機吸込風路４０と、相対湿度低減手段として浴室１７外と送風機吸込風路４０を結ぶ外気吸込風路３６が送風機２手前で連結され、連結された風路が送風機２と接続されている。また、外気吸込風路３６には加湿空間から送風機吸込風路４０を通じて送風機２に吸込まれる加湿空気と浴室１７外から外気吸込風路３６を通じて吸い込まれる空気の混合比率を調整できる比率可変手段として弁のぞましくは可動ダンパー３７が備えられ、一方浴室１７内には浴室１７内の温度と湿度を検知する温度湿度検出部３８が備えられ、さらに外気吸込風路３６の送風機吸込風路４０と接続している側と反対面に当たる浴室外開放端には開放端周囲の温度と湿度を検出する外部温度湿度検出部４２が備えられ、さらに温度湿度検出部３８と外部温度湿度検出部４２は比率可変指示制御回路３９と、さらに比率可変指示制御回路３９は可動ダンパー３７と電気的に接続されている。温度湿度検出部３８により浴室１７内の温度湿度を検出し、また外部温度湿度検出部４２により外気吸込風路３６の温度湿度を検出し、おのおの検出された温度湿度を比率可変指示制御回路３９に送信する。比率可変指示制御回路３９は可動ダンパー３７に送風機吸込風路４０から吸込まれる浴室空気と外気吸込風路３６から吸込まれる空気の混合流の相対湿度が８５％のぞましくは７０％以下の混合流が送風機２に導くように可動ダンパー３７を可変させるものである。このことにより送風機２には低湿度の乾燥空気が吸込まれることとなり、送風機２内の結露による錆さらにはモーター巻線の障害等の状況にはならず、安全に使用できるものとなる。
【００５４】
（実施例７）
つぎに発明の第７実施例について図７を参照しながら説明する。なお、実施例１、６と同一部分については、同一符号を付して詳細な説明は省略する。
【００５５】
加湿部１により生成される加湿空気は送風機２が駆動することにより浴室１７に吹き出され、浴室１７は加湿空間となる。一方、浴室１７内から浴室１７に取り付けられた吸込口４１を通り、吸込口４１から送風機２を結ぶ送風機吸込風路４０には除湿手段４３としてシリカゲルが備えられ、浴室１７から吸込まれる加湿空気は除湿手段４３で湿分が除去され、乾燥した空気が送風機２に吸込まれることとなる。このため送風機２内の結露による錆さらにはモーター巻線の障害等の状況にはならず、安全に使用できるものとなる。また送風機吸込風路４０内が乾燥することにより送風機吸込風路４０内の結露が防止できる。本実施例では除湿手段４３としてシリカゲルを用いたが除湿できるものならよく、例えばデシカント式の除湿機を利用してもよい。
【００５６】
（実施例８）
つぎに発明の第８実施例について図８を参照しながら説明する。なお、実施例１、６、７と同一部分については、同一符号を付して詳細な説明は省略する。
【００５７】
加湿部１により生成される加湿空気は送風機２が駆動することにより浴室１７に吹き出され、浴室１７は加湿空間となる。一方、浴室１７内から浴室１７に取り付けられた吸込口４１を通り、吸込口４１から送風機２を結ぶ送風機吸込風路４０の送風機２近傍には発熱体としてヒーター４４が備えられ、浴室１７から吸込まれる加湿空気はヒーター４４で加熱され、送風機２に吸込まれることとなる。一方ヒーター４４は送風機２の近傍にあるため送風機内風路を自体も高温となり送風機２内部および送風機２に結露がしなくなる。このことにより結露による錆さらにはモーター巻線の絶縁不良等の状況にはならず、安全に使用できるものとなる。本実施例では発熱手段としてヒーター４４を用いたが、熱交換器４の一部を発熱手段として用いてもよい。
【００５８】
（実施例９）
つぎに発明の第９実施例について図９を参照しながら説明する。なお、実施例１と同一部分については、同一符号を付して詳細な説明は省略する。
【００５９】
図９において、送風機２は駆動時に発熱する駆動用モーター４５と送風用ファン４６を備え、送風機２が浴室１７より加湿空気を吸込口４１に接続した送風機吸込風路４０を通じて送風機２に吸込まれる。一方、送風機２は送風機箱４９に覆われており、送風機箱４２には送風機吸込風路４０と連通する送風機吸込口４７と空気を吹出す送風機吹出口４８を備えており、送風機吹出口４８から吹き出された空気は加湿部１を通じて加湿空気となり浴室１７内に吹き出される。浴室１７から吸込まれた加湿空気は送風機吸込口４７より送風機箱４９に吸引され、送風機箱４９は駆動用モーター４５を収納しており、送風機箱４９内は駆動用モーター４５が駆動することにより発熱することで送風機箱４９内は高温となり送風機吸込口４７より吸引された加湿空気は内部で結露することなく送風機吹出口４８より吹出されることとなる。一方、駆動用モーター４５自身が発熱しているため駆動用モーター４５に加湿空気が結露することもない。このため送風機２は結露による錆さらにはモーター巻線の絶縁不良等の状況にはならず、安全に使用できるものとなる。
【００６０】
【発明の効果】
以上のように、本発明によると、装置停止時に換気運転ができることで浴室内を乾燥させることができ、浴室内のカビや菌の繁殖を抑え衛生的に維持できるサウナ装置を提供することができる。また、サウナ運転停止時に発生する排水を換気風路内に設けることにより、装置施工時に排水管を施工する必要がなくなり省スペース施工が可能となるとともに、排水管の主管または排水マス等の設置場所による装置の取り付け規制がなくなるという効果のあるサウナ装置を提供できる。
【００６１】
また、換気風路内に水滴落下防止手段を設けることにより排気口から水滴落下がなく、排気口壁面および排気口の吹出直下を濡らすことのないという効果のあるサウナ装置が得られる。
【００６２】
また、水蒸気透過性を有する透湿膜を用いて水蒸気のみを空気に供給することで加湿を行うため、エネルギーの無駄がなく、効率的に加湿が行えるサウナ装置を提供することができる。また、その結果温水の使用量や温水を所定の温度まで昇温するための加熱量が少なく、低ランニングコストで使用できるサウナ装置を提供することができる。また、微細水滴が浴室に吹き出すことないため入浴者に不快感を与えることがなく、体感上も快適なサウナ装置を提供することができる。
【００６３】
また、加湿空気を吸込むことによる吸込み風路上の部品を選定する時に、耐湿性の部品を選定する必要がなくなり、結果安価な部品で構成することができるという効果のあるサウナ装置を提供できる。
【図面の簡単な説明】
【図１】本発明の実施の形態１におけるサウナ装置を示す構成図
【図２】本発明の実施の形態２におけるサウナ装置を示す一部断面図
【図３】本発明の実施の形態３におけるサウナ装置を示す一部断面図
【図４】本発明の実施の形態４におけるサウナ装置を示す一部断面図
【図５】本発明の実施の形態５におけるサウナ装置の加湿部の構成を模式化した説明図
【図６】本発明の実施の形態６におけるサウナ装置を示す構成図
【図７】本発明の実施の形態７におけるサウナ装置を示す構成図
【図８】本発明の実施の形態８におけるサウナ装置を示す構成図
【図９】本発明の実施の形態９におけるサウナ装置を示す構成図
【図１０】従来の技術によるサウナ装置の内部構造の概略を示す要部断面図
【符号の説明】
１  加湿部
２  送風機
３  加湿温水回路
４  熱交換器
５  温水循環手段
６  貯水部
１１  排水開閉手段
１２  排気送風手段
１４  空気排出路
１５  排水連通路
１６  水滴落下防止手段
１９  排気口
２８  排気管内排水路
３５  透湿膜
３６  外気吸込風路
３７  可動ダンパー
３８  温度湿度検出部
３９  比率可変指示制御回路
４０  送風機吸込風路
４１  吸込口
４３  除湿手段
４４  ヒーター
４５  駆動用モーター
４６  送風用ファン
４７  送風機吸込口
４８  送風機吹出口
４９  送風機箱
【図１】
2005021429.tif 000003
【図２】
2005021429.tif 000004
【図３】
2005021429.tif 000005
【図４】
2005021429.tif 000006
【図５】
2005021429.tif 000007
【図６】
2005021429.tif 000008
【図７】
2005021429.tif 000009
【図８】
2005021429.tif 000010
【図９】
2005021429.tif 000011
【図１０】
2005021429.tif 000012